(57)【要約】下り回線のキャパシティの減少を防止し、ＭＣＳ情報の送信に係るセル内、セル外の干渉の増加を防止することができる無線送信装置。本無線送信装置において、拡散コード指定部１１２では、ＭＣＳ番号が表されるような拡散コードの組み合わせを指定する。例えば、拡散コード指定部１１２では、拡散コード＃１〜＃８のうちから７コードを指定する。すなわち、拡散コード指定部１１２では、選択されたＭＣＳ番号が＃１であれば、拡散コード＃２〜＃８を指定し、拡散コード＃１を指定しない。拡散コードの組み合わせに、ＭＣＳ＃１〜＃８の情報を載せることが可能となる。受信側では、逆拡散信号の電力検出により、使用していない拡散コードに対応する電力が検出されないので、その拡散コード番号がＭＣＳ番号と判定することが可能となる。
2003003635.tif 000002
【特許請求の範囲】
【請求項１】
上り回線で送信された下り回線品質情報に基づいて送信対象の割り当てを行う送信対象割り当て手段と、
前記送信対象から報告された下り回線品質情報に基づいて送信パラメータを決定するパラメータ決定手段と、
前記送信パラメータを表す拡散コードの組み合わせを指定する拡散コード指定手段と、
前記送信パラメータ及び前記組み合わせの拡散コードを用いて前記送信対象に対してマルチコード伝送によるデータ送信を行う送信手段と、
を具備する無線送信装置。
【請求項２】
データ送信の際に使用する送信パラメータの番号とデータ送信の際に使用しない拡散コードの番号とを対応づける請求項１記載の無線送信装置。
【請求項３】
拡散コードの組み合わせとして、データ送信の際に使用される拡散コードのうちの一部を用いて送信パラメータを表す請求項１記載の無線送信装置。
【請求項４】
送信パラメータを示すビット数が拡散コードの組み合わせを示すビット数よりも少ない場合に、前記送信パラメータを示すビットを符号化して拡散コードの組み合わせを示すビットにする符号化手段を具備する請求項１記載の無線送信装置。
【請求項５】
全ての送信対象の送信パラメータを、拡散コードの組み合わせを用いて表すマッピング手段を具備する請求項１記載の無線送信装置。
【請求項６】
請求項１記載の無線送信装置を備える無線基地局装置。
【請求項７】
下り回線信号に対して、送信パラメータを表す拡散コードの組み合わせを用いて逆拡散処理を行って逆拡散信号を出力する逆拡散手段と、
前記逆拡散信号のレベルを検出するレベル検出手段と、
前記レベルから前記送信パラメータを検出する送信パラメータ検出手段と、
前記送信パラメータを用いて受信データを得る受信データ出力手段と、
を具備する無線受信装置。
【請求項８】
送信パラメータを示すビット数が拡散コードの組み合わせを示すビット数よりも少ない場合に符号化された前記送信パラメータを示すビットを復号して、送信パラメータを示すビットを得る復号手段を具備する請求項７記載の無線受信装置。
【請求項９】
拡散コードの組み合わせに自局の送信パラメータが含まれているかどうかを検出する送信パラメータ検出手段を具備する請求項７記載の無線受信装置。
【請求項１０】
請求項７記載の無線受信装置を備える通信端末装置。
【請求項１１】
上り回線で送信された下り回線品質情報に基づいて送信対象の割り当てを行う送信対象割り当て工程と、
前記送信対象から報告された下り回線品質情報に基づいて送信パラメータを決定するパラメータ決定工程と、
前記送信パラメータを表す拡散コードの組み合わせを指定する拡散コード指定工程と、
前記送信パラメータ及び前記組み合わせの拡散コードを用いて前記送信対象に対してマルチコード伝送によるデータ送信を行う送信工程と、
を具備する無線送信方法。
【請求項１２】
送信パラメータを示すビット数が拡散コードの組み合わせを示すビット数よりも少ない場合に、前記送信パラメータを示すビットを符号化して拡散コードの組み合わせを示すビットにする符号化工程を具備する請求項１１記載の無線送信方法。
【請求項１３】
全ての送信対象の送信パラメータを、拡散コードの組み合わせを用いて表すマッピング工程を具備する請求項１１記載の無線送信方法。
【請求項１４】
下り回線信号に対して、送信パラメータを表す拡散コードの組み合わせを用いて逆拡散処理を行って逆拡散信号を出力する逆拡散工程と、
前記逆拡散信号のレベルを検出するレベル検出工程と、
前記レベルから前記送信パラメータを検出する送信パラメータ検出工程と、
前記送信パラメータを用いて受信データを得る受信データ出力工程と、
を具備する無線受信方法。
【請求項１５】
送信パラメータを示すビット数が拡散コードの組み合わせを示すビット数よりも少ない場合に符号化された前記送信パラメータを示すビットを復号して、送信パラメータを示すビットを得る復号工程を具備する請求項１４記載の無線受信方法。
【請求項１６】
拡散コードの組み合わせに自局の送信パラメータが含まれているかどうかを検出する送信パラメータ検出工程を具備する請求項１４記載の無線受信方法。
【請求項１７】
送信対象から報告された回線品質情報に基づいて送信パラメータを決定するパラメータ決定手段と、
前記送信パラメータを表す拡散コードの組み合わせを指定する拡散コード指定手段と、
前記送信パラメータ及び前記組み合わせの拡散コードを用いて前記送信対象に対してマルチコード伝送によるデータ送信を行う送信手段と、
を具備する無線送信装置。
【請求項１８】
送信対象から報告された回線品質情報に基づいて送信パラメータを決定するパラメータ決定工程と、
前記送信パラメータを表す拡散コードの組み合わせを指定する拡散コード指定工程と、
前記送信パラメータ及び前記組み合わせの拡散コードを用いて前記送信対象に対してマルチコード伝送によるデータ送信を行う送信工程と、
を具備する無線送信方法。
【発明の詳細な説明】
技術分野
本発明は、ディジタル無線通信システムにおいて使用される無線送信装置及び無線受信装置に関する。
背景技術
高速パケットを効率良く伝送する方法として、３ＧＰＰ（３ｒｄ  Ｇｅｎｅｒａｔｉｏｎ  ｐａｒｔｎｅｒｓｈｉｐ  ｐｒｏｊｅｃｔ）においてＨＳＤＰＡ（Ｈｉｇｈ  Ｓｐｅｅｄ  Ｄｏｗｎ−ｌｉｎｋ  Ｐａｃｋｅｔ  Ａｃｃｅｓｓ）が検討されている。この方式では、回線状態に応じてチャネルコーデックや拡散率や多重数や（多値）変調などを変更することによって伝送レートを変更し、平均スループットを向上させる方式である。
ＨＳＤＰＡなどの適応変調を行う場合には、送信機（無線基地局）は受信機（通信端末）に対してＭＣＳ（Ｍｏｄｕｌａｔｉｏｎ  ａｎｄ  Ｃｏｄｉｎｇ  Ｓｃｈｅｍｅ）を送信することが必要である。ＭＣＳは、送信しているパケットデータの変調方式（ＱＡＭ（Ｑｕａｄｒａｔｕｒｅ  Ａｍｐｌｉｔｕｄｅ  Ｍｏｄｕｌａｔｉｏｎ），ＱＰＳＫ（Ｑｕａｄｒａｔｕｒｅ  Ｐｈａｓｅ  Ｓｈｉｆｔ  Ｋｅｙｉｎｇ），８ＰＳＫ（８  Ｐｈａｓｅ  Ｓｈｉｆｔ  Ｋｅｙｉｎｇ）など）や符号化率（Ｒ＝１／２，１／３）などの情報である。受信機は、このＭＣＳの情報を用いて、パケットチャネルのデータを復調し、復号処理を行う。
しかしながら、送信機側（無線基地局）はＭＣＳ情報を送信することになるので、下り回線のキャパシティが少なくなるという問題がある。また、ＭＣＳ情報の送信に係るセル内、セル外の干渉の増加を招くという問題がある。
発明の開示
本発明の目的は、下り回線のキャパシティの減少を防止し、ＭＣＳ情報の送信に係るセル内、セル外の干渉の増加を防止することができる無線送信装置及び無線受信装置を提供することである。
本発明の一形態によれば、無線送信装置は、上り回線で送信された下り回線品質情報に基づいて送信対象の割り当てを行う送信対象割り当て手段と、前記送信対象から報告された下り回線品質情報に基づいて送信パラメータを決定するパラメータ決定手段と、前記送信パラメータを表す拡散コードの組み合わせを指定する拡散コード指定手段と、前記送信パラメータ及び前記組み合わせの拡散コードを用いて前記送信対象に対してマルチコード伝送によるデータ送信を行う送信手段と、を具備する。
本発明の他の形態によれば、無線受信装置は、下り回線信号に対して、送信パラメータを表す拡散コードの組み合わせを用いて逆拡散処理を行って逆拡散信号を出力する逆拡散手段と、前記逆拡散信号のレベルを検出するレベル検出手段と、前記レベルから前記送信パラメータを検出する送信パラメータ検出手段と、前記送信パラメータを用いて受信データを得る受信データ出力手段と、を具備する。
本発明のさらに他の形態によれば、無線送信方法は、上り回線で送信された下り回線品質情報に基づいて送信対象の割り当てを行う送信対象割り当て工程と、前記送信対象から報告された下り回線品質情報に基づいて送信パラメータを決定するパラメータ決定工程と、前記送信パラメータを表す拡散コードの組み合わせを指定する拡散コード指定工程と、前記送信パラメータ及び前記組み合わせの拡散コードを用いて前記送信対象に対してマルチコード伝送によるデータ送信を行う送信工程と、を具備する。
本発明のさらに他の形態によれば、無線受信方法は、下り回線信号に対して、送信パラメータを表す拡散コードの組み合わせを用いて逆拡散処理を行って逆拡散信号を出力する逆拡散工程と、前記逆拡散信号のレベルを検出するレベル検出工程と、前記レベルから前記送信パラメータを検出する送信パラメータ検出工程と、前記送信パラメータを用いて受信データを得る受信データ出力工程と、を具備する。
本発明のさらに他の形態によれば、無線送信装置は、上り回線で送信対象から報告された下り回線品質情報に基づいて送信パラメータを決定するパラメータ決定手段と、前記送信パラメータを表す拡散コードの組み合わせを指定する拡散コード指定手段と、前記送信パラメータ及び前記組み合わせの拡散コードを用いて前記送信対象に対してマルチコード伝送によるデータ送信を行う送信手段と、を具備する。
本発明のさらに他の形態によれば、無線送信方法は、上り回線で送信対象から報告された下り回線品質情報に基づいて送信パラメータを決定するパラメータ決定工程と、前記送信パラメータを表す拡散コードの組み合わせを指定する拡散コード指定工程と、前記送信パラメータ及び前記組み合わせの拡散コードを用いて前記送信対象に対してマルチコード伝送によるデータ送信を行う送信工程と、を具備する。
発明を実施するための最良の形態
以下、本発明の実施の形態について、添付図面を参照して詳細に説明する。
（実施の形態１）
本実施の形態では、パケットデータの送信に使う拡散コードの組み合わせを用いてＭＣＳ情報を送信する場合について説明する。
図１は、本発明の実施の形態１に係る無線送信装置を備えた無線基地局装置の構成を示すブロック図である。ここでは、説明を簡単にするために、ユーザ数が２である場合について説明するが、ユーザ数については特に制限はない。また、ここでは、１６倍拡散の拡散コードを７コード使ってパケットデータをマルチコード送信する場合について説明するが、拡散率や拡散コード数については特に制限はない。
通信端末から送信された上り回線信号は、アンテナ１０１を介して受信ＲＦ部１０２で受信される。受信ＲＦ部１０２では、上り回線信号に対して所定の無線受信処理（例えば、ダウンコンバートやＡ／Ｄ変換など）を行い、無線受信処理後の信号を復調部１０３に出力する。
復調部１０３では、無線受信処理後の信号に対して直交復調処理を行い、直交復調処理後の信号を逆拡散部１０４に出力する。逆拡散部１０４では、直交復調処理後の信号に対して、通信端末側で使用した拡散コードを用いて逆拡散処理を行う。逆拡散部１０４は、ユーザ数（ｎ）分設けられている。逆拡散処理後の信号（逆拡散信号）は、ユーザ数（ｎ）分設けられたＣＩＲ情報抽出部１０５にそれぞれ出力される。
ＣＩＲ情報抽出部１０５では、逆拡散信号から下り回線品質情報としてＣＩＲ（Ｃａｒｒｉｅｒ  ｔｏ  Ｉｎｔｅｒｆｅｒｅｎｃｅ  Ｒａｔｉｏ）情報を抽出する。抽出されたＣＩＲ情報は、スケジューラ１０６に出力される。すべての通信端末からのＣＩＲ情報がスケジューラ１０６に出力される。スケジューラ１０６では、各通信端末からのＣＩＲ情報に基づいて下り回線で送信を行う送信対象（ユーザ）の割り当てを行う。このようにして決定されたスケジューリング情報は、ＭＣＳ選択部１０７及び選択部１０９に出力される。
ＭＣＳ選択部１０７では、スケジューリング情報にしたがって、ユーザ毎に変調方式や符号化率などの送信パラメータを決定し、ＭＣＳ情報として符号化部１１０、拡散コード指定部１１２、及び変調部１１５に出力する。拡散コード指定部１１２では、拡散コードの組み合わせにＭＣＳ情報が載るように拡散コードを指定し、指定された拡散コードを各拡散部１１３に出力する。
選択部１０９では、ユーザ数（ｎ）分設けられたバッファ１０８からの送信データを、スケジュール情報にしたがって選択し、符号化部１１０に出力する。符号化送信データを割り当てられたユーザに対する送信データをバッファ１０８から符号化部１１０に出力する。
符号化部１１０では、ユーザ毎にＭＣＳ情報の符号化率でユーザ宛ての送信データを符号化する。符号化された送信データは、分配部１１１に出力される。分配部１１１では、符号化された送信データを拡散コード数（ｍ）分設けられた拡散部１１３に出力する。
各拡散部１１３では、拡散コード指定部１１２で指定された拡散コードを用いて、符号化された送信データに対して拡散変調処理を行う。拡散変調処理後の信号は、拡散コード数（ｍ）分設けられた変調部１１５に出力される。変調部１１５では、拡散変調後の信号に対して直交変調処理を行い、直交変調処理後の信号を多重部１１７に出力する。
既知信号であるパイロットシンボルは、拡散部１１４に出力され、拡散部１１４で所定の拡散コードにより拡散変調処理される。拡散変調処理されたパイロットシンボルは、変調部１１６に出力され、変調部１１６で直交変調処理される。直交変調処理されたパイロットシンボルは、多重部１１７に出力する。
多重部１１７では、拡散変調処理された送信データとパイロットシンボルを多重し、多重した信号を送信ＲＦ部１１８に出力する。送信ＲＦ部１１８では、多重した信号に対して所定の無線送信処理（例えば、Ｄ／Ａ変換やアップコンバートなど）を行い、無線送信処理後の信号を下り回線信号としてアンテナ１０１を介して通信端末に送信する。
図２は、本発明の実施の形態１に係る無線受信装置を備えた通信端末装置の構成を示すブロック図である。ここでは、１６倍拡散の拡散コードを７コード使ってパケットデータをマルチコード送信する場合について説明するが、拡散率や拡散コード数については特に制限はない。
無線基地局から送信された下り回線信号は、アンテナ２０１を介して受信ＲＦ部２０２で受信される。受信ＲＦ部２０２では、下り回線信号に対して所定の無線受信処理（例えば、ダウンコンバートやＡ／Ｄ変換など）を行い、無線受信処理後の信号を逆拡散部２０３，２１１に出力する。
逆拡散部２０３は、拡散コード数（ｍ）分設けられており、無線基地局で使用した拡散コードを用いて、無線受信処理後の信号に対して逆拡散処理を行う。逆拡散処理後の信号（逆拡散信号）は、それぞれ拡散コード数（ｍ）分設けられた電力検出部２０４に出力されると共に、セレクタ２０５に出力される。
電力検出部２０４では、各逆拡散信号について拡散コード毎に電力を検出する。それぞれの電力検出結果は、拡散コード検出部２０６に出力される。拡散コード検出部２０６では、電力検出結果から拡散コードを検出し、拡散コードの検出結果をＭＣＳ検出部２０７及びセレクタ２０５に出力する。
セレクタ２０５では、電力検出結果にしたがって、電力値が所定レベルに達した拡散コードで逆拡散した逆拡散信号を選択し、その逆拡散信号を拡散コード数（ｍ）分設けられた復調部２０８に出力する。
ＭＣＳ検出部２０７では、拡散コードの組み合わせに載せられたＭＣＳを検出し、そのＭＣＳ情報を拡散コード数（ｍ）分設けられた復調部２０８及び復号部２１０に出力する。
復調部２０８では、逆拡散信号を用い、ＭＣＳ検出部２０７からのＭＣＳ情報に含まれる変調方式で復調処理を行い、復調処理後の信号を統合部２０９に出力する。
統合部２０９では、マルチコード伝送された信号を統合し、統合した信号を復号部２１０に出力する。復号部２１０では、統合された信号に対して、ＭＣＳ検出部２０７からのＭＣＳ情報に含まれる符号化率で復号処理を行って受信データを出力する。
逆拡散部２１１では、無線基地局でパイロットシンボルに対して使用した拡散コードを用いて無線受信処理後の信号に逆拡散処理を行って、逆拡散処理後の信号（逆拡散信号）を復調部２１２に出力する。復調部２１２では、逆拡散信号に対して復調処理を行い、復調処理後の信号をＣＩＲ推定部２１３に出力する。
ＣＩＲ推定部２１３では、復調されたパイロットシンボルを用いてＣＩＲを推定する。推定されたＣＩＲ値は、ＣＩＲ値埋め込み部２１４に出力される。ＣＩＲ値埋め込み部２１４では、送信データにＣＩＲ値を埋め込み、その送信データを変調部２１５に出力する。
変調部２１５では、ＣＩＲ値が埋め込まれた送信データに対して変調処理を行い、変調処理後の信号を拡散部２１６に出力する。拡散部２１６では、変調処理後の信号に対して所定の拡散コードを用いて拡散変調処理を行い、拡散変調処理後の信号を送信ＲＦ部２１７に出力する。
送信ＲＦ部２１７では、拡散変調処理後の信号に対して所定の無線送信処理（例えば、Ｄ／Ａ変換やアップコンバートなど）を行って、無線送信処理後の信号を上り回線信号としてアンテナ２０１を介して無線基地局に対して送信する。
上記構成を有する無線基地局装置と通信端末装置との間でＭＣＳ情報を送信することなく、ＨＳＤＰＡ方式の通信を行う場合について説明する。
まず、無線基地局の配下である各通信端末から下り回線品質情報としてＣＩＲ情報を上り回線で無線基地局に送信する。具体的には、無線基地局からの下り回線信号を各通信端末で受信し、復調部２１２で下り回線信号に含まれる既知信号であるパイロットシンボルを復調し、ＣＩＲ推定部２１３でそのパイロットシンボルを用いてＣＩＲを推定するする。そして、このＣＩＲ値をＣＩＲ埋め込み部２１４に出力し、ＣＩＲ埋め込み部２１４でＣＩＲ値を送信データに埋め込む。各通信端末は、このＣＩＲ値を上り回線で無線基地局に送信する。
無線基地局では、上り回線信号を用いてＣＩＲ情報抽出部１０５でＣＩＲ情報を抽出する。ＣＩＲ情報抽出部１０５は各通信端末毎に設けられているので、すべての通信端末についてのＣＩＲ情報が得られる。得られたＣＩＲ情報は、それぞれスケジューラ１０６に出力される。
スケジューラ１０６では、各通信端末からのＣＩＲ情報に基づいて各通信端末に対する下り回線の品質を推定し、送信対象となる通信端末にチャネルを割り当てる。割り当てられた通信端末の情報は、ＭＣＳ選択部１０７に出力される。ＭＣＳ選択部１０７では、各通信端末に対するＭＣＳ選択を行う。すなわち、通信端末の下り回線の品質の推定結果に基づいて、符号化率や変調方式などの送信パラメータを選択する。例えば、下り回線品質が良ければ、符号化率を高くし、変調方式をより高度な多値変調方式とし、下り回線品質が悪ければ、符号化率を低くし、変調方式をＱＰＳＫなどの変調方式とする。
このＭＣＳ選択により決定された符号化率や変調方式の情報は、それぞれ符号化部１１０及び変調部１１５に出力される。通信端末に対するパケットデータは、決定された符号化率で符号化され、決定された変調方式で変調されて、通信端末に対して下り回線で送信される。
また、ＭＣＳ選択部１０７で決定されたＭＣＳの番号は、拡散コード指定部１１２に出力される。ＭＣＳ選択部１０７は、図３に示すような対応テーブルを備えており、割り当てられた通信端末に対する送信パラメータを決定し、その送信パラメータに対応するＭＣＳ番号を拡散コード指定部１１２に出力する。
拡散コード指定部１１２では、ＭＣＳ番号が表されるような拡散コードの組み合わせを指定する。例えば、ＤＳＣＨ（Ｄｏｗｎｌｉｎｋ  Ｓｈａｒｅｄ  ＣＨａｎｎｅｌ）の送信を拡散コード＃１〜＃８を用いて行う場合を想定して図４を用いて説明すると、拡散コード指定部１１２では、拡散コード＃１〜＃８のうちから７コードを指定する。すなわち、拡散コード指定部１１２では、選択されたＭＣＳ番号が＃１であれば、拡散コード＃２〜＃８を指定し、拡散コード＃１を指定しない。また、選択されたＭＣＳ番号が＃２であれば、拡散コード＃１、＃３〜＃８を指定し、拡散コード＃２を指定しない。
図４を用いた場合において、拡散コードの組み合わせは、８Ｃ７の８通りである。したがって、拡散コードの組み合わせにより、送信パラメータであるＭＣＳ情報を表すことができる。すなわち、拡散コードの組み合わせに、ＭＣＳ＃１〜＃８の情報を載せることが可能となる。したがって、このように指定された拡散コードを用いることにより、ＭＣＳ情報を送信しなくても、受信側（通信端末）ではブラインドでＭＣＳを判定することが可能となる。
拡散コード指定部１１２で指定された拡散コードの情報は、拡散部１１３に出力され、拡散コード分（ｍ）設けられた拡散部１１３に出力される。拡散部１１３では、分配部１１１で分配された送信データに対して、それぞれ指定された拡散コードで拡散変調処理を行う。例えば、ＭＣＳ＃５を使用することを想定し、拡散コード＃１〜＃４、＃６〜＃８の７コードを用いて拡散変調処理を行う。これらの拡散コードで拡散変調処理された送信データは、多重部１１７で７コード分多重されて下り回線信号としてマルチコード伝送で通信端末に送信される。
通信端末では、下り回線信号を逆拡散部２０３で逆拡散処理して逆拡散信号を得る。この場合、逆拡散部２０３では、それぞれの拡散コード＃１〜＃８について下り回線信号に対して逆拡散処理を行う。逆拡散信号は、拡散コード毎に電力検出部２０４に出力される。
各電力検出部２０４では、逆拡散信号を用いて電力検出を行う。この拡散コード毎の電力値の情報は、拡散コード検出部２０６に出力される。拡散コード検出部２０６では、電力値の情報から、送信側（無線基地局）で使用した拡散コードを検出する。無線基地局では、拡散コード＃１〜＃４、＃６〜＃８を用いており、拡散コード＃５を用いていないので、各拡散コードに対する電力検出結果は、図５に示すようになる。すなわち、拡散コード＃１〜＃４、＃６〜＃８については、所定の電力値が得られ、拡散コード＃５については、電力値が小さくなる。
このようにして検出された使用拡散コードの情報は、ＭＣＳ検出部２０７に出力される。ＭＣＳ検出部２０７では、拡散コード＃５のみが使用されていないことから、使用されたＭＣＳは＃５であると判定する。ＭＣＳ検出部２０７は、ＭＣＳ＃５に対応する送信パラメータ（変調方式や符号化率）の情報を復調部２０８や復号部２１０に出力する。具体的には、ＭＣＳ検出部２０７は、図３に示す対応テーブルを備えており、ＭＣＳ番号（＃５）に対応する変調方式や符号化率をそれぞれ復調部２０８及び復号部２１０に出力する。
セレクタ２０５では、使用された拡散コード＃１〜＃４、＃６〜＃８に対応する逆拡散信号を選択して復調部２０８に出力する。復調部２０８では、ＭＣＳ検出部２０７から出力された変調方式で逆拡散信号を復調する。また、復号部２１０では、ＭＣＳ検出部２０７から出力された符号化率で、復調後の信号を復号する。このようにして受信データが得られる。
このように本実施の形態によれば、拡散コードの組み合わせに意味をもたせ、すなわち、拡散コードの組み合わせで送信パラメータの情報を表すので、ＭＣＳ情報をデータとして送信することなしに、受信側に報告することが可能となる。
したがって、受信側では、使用された拡散コードを検出するだけでＭＣＳ情報を判定することができる。その結果、下り回線におけるＭＣＳ情報の伝送を不要とすることができ、下り回線のキャパシティを増大させ、セル内干渉やセル外干渉を減らすことが可能になる。このように拡散コードの組み合わせを用いてＭＣＳ情報を通信端末に通知する方法は、確実な方法であり、通信端末側で確実にＭＣＳ情報を検出することができるので、有効な方法である。
本実施の形態においては、使用する拡散コードすべての組み合わせを用いてＭＣＳ情報を表す場合について説明しているが、本発明においては、拡散コードの組み合わせとして、拡散コードの一部を用いてＭＣＳ情報を表すようにしても良い。例えば、図６に示すように、ＤＳＣＨに３２コード割り当てられている場合において、２０コード多重のマルチコード伝送を行うときに、そのうちの拡散コード＃１〜＃１２は常に送信に使用し、拡散コード＃１３〜＃２０の８コード分に関してのみ組み合わせに意味をもたせてＭＣＳ情報を送信するようにしても良い。
このようにすることにより、受信側（通信端末）では、すべての拡散コードを用いてＭＣＳ情報を表す場合に比べて、電力検出を行う回路の数を２０から８に減らすことができ、受信装置の構成を簡単にすることが可能となる。なお、本発明の実施の形態では、送信に使用しない拡散コードの番号がＭＣＳの番号に一致している例を説明しているが、送信に使用しない拡散コードの番号と、ＭＣＳの番号の対応は任意に設定することが可能である。
（実施の形態２）
本実施の形態では、送信パラメータを示すビット数が拡散コードの組み合わせを示すビット数よりも少ない場合に、送信パラメータを示すビットを符号化して拡散コードの組み合わせを示すビットにする場合について説明する。
実施の形態１では、マルチコード伝送において拡散コード８コード中の７コードを使って、使用しない拡散コード番号をＭＣＳ番号に対応させた場合について説明しているが、マルチコード伝送において拡散コード２０コード中の１８コードを使用するような場合も考えられる。このときは、拡散コードの組み合わせの数は２０Ｃ１８の１９０通りとなる。本実施の形態では、マルチコード伝送において拡散コード２０コード中の１８コードを使用する場合について説明する。
送信パラメータであるＭＣＳ数を８種類とすると、３ビットで表すことができる。これに対して、この場合の拡散コードの組み合わせは１９０通りであり、７ビットで表すことができる。したがって、ＭＣＳ数の情報３ビットを拡散コードの組み合わせの情報７ビットにして送信を行う。
図７は、本発明の実施の形態２に係る無線送信装置を備えた無線基地局装置の構成を示すブロック図である。なお、図７において、図１と同じ部分については図１と同じ符号を付してその詳細な説明は省略する。
図７に示す無線基地局装置は、ＭＣＳ選択部１０７で決定されたＭＣＳの番号を表すビットを拡散コードの組み合わせのビットに符号化する符号化部７０１を備えている。
図８は、本発明の実施の形態２に係る無線受信装置を備えた通信端末装置の構成を示すブロック図である。なお、図８において、図２と同じ部分については図２と同じ符号を付してその詳細な説明は省略する。
図８に示す通信端末装置は、拡散コード検出部２０６で検出された使用拡散コードの組み合わせをＭＣＳの番号に復号する復号部８０１を備えている。
上記構成を有する無線基地局装置と通信端末装置との間でＭＣＳ情報を送信することなく、ＨＳＤＰＡ方式の通信を行う場合について説明する。
各通信端末から下り回線品質情報としてＣＩＲ情報を上り回線で無線基地局に送信し、無線基地局のスケジューラ１０６で各ＣＩＲ情報に基づいて送信の割り当てを行い、その送信割り当てに応じてＭＣＳを選択するまでの動作は実施の形態１と同様である。
ＭＣＳ選択部１０７で決定されたＭＣＳの番号は、符号化部７０１に出力される。例えば、ＭＣＳ番号が図３に示すように８種類であって３ビットで表される場合、その３ビットのＭＣＳ番号が符号化部７０１に出力される。
符号化部７０１では、ＭＣＳ番号のビットを拡散コードの組み合わせのビットに符号化する。ここでは、３ビットのＭＣＳ番号を７ビットの拡散コード組み合わせに符号化する。これは、ＭＣＳ番号を３／８の符号化率で符号化したことと同じことになる。この７ビットの拡散コード組み合わせの情報は、拡散コード指定部１１２に出力される。
拡散コード指定部１１２では、ＭＣＳ番号が表されるような拡散コードの組み合わせを指定する。例えば、ＤＳＣＨの送信を拡散コード＃１〜＃２０を用いて行う場合において、拡散コード指定部１１２では、拡散コード＃１〜＃２０のうちから１８コードを指定する。すなわち、拡散コード指定部１１２では、７ビットの拡散コードの組み合わせで拡散コードを指定する。この７ビットの拡散コードの組み合わせは、拡散コード使用状況を示すパターンである。拡散コード指定部１１２では、その７ビットのビット列に対応する拡散コードの使用状況を示すパターンを参照し、そのパターンにおいて使用である拡散コードを指定する。
このように指定された拡散コードを用いることにより、ＭＣＳ情報を送信しなくても、受信側（通信端末）ではブラインドでＭＣＳを判定することが可能となる。
拡散コード指定部１１２で指定された拡散コードの情報は、拡散部１１３に出力され、拡散コード分（ｍ）設けられた拡散部１１３に出力される。拡散部１１３では、分配部１１１で分配された送信データに対して、それぞれ指定された拡散コードで拡散変調処理を行う。これらの拡散コードで拡散変調処理された送信データは、多重部１１７で１８コード分多重されて下り回線信号としてマルチコード伝送で通信端末に送信される。
下り回線信号を逆拡散処理して逆拡散信号の電力検出を行うまでの動作は実施の形態１と同様である。この拡散コード毎の電力値の情報は、拡散コード検出部２０６に出力される。拡散コード検出部２０６では、電力値の情報から、送信側（無線基地局）で使用した拡散コードを検出する。すなわち、使用している拡散コードの電力値は大きく、使用していない拡散コードの電力値は小さくなる。
このようにして検出された使用拡散コードの情報は、使用拡散コードのパターンとして復号部８０１に出力される。この場合、使用拡散コードのパターンは、７ビットのビット列として復号部８０１に出力される。復号部８０１では、７ビットのビット列をＭＣＳ番号を示す３ビットのビット列に復号する。復号された３ビットのビット列は、ＭＣＳ検出部２０７に出力される。
ＭＣＳ検出部２０７では、３ビットのビット列に対応するＭＣＳ番号に基づいて送信パラメータを検出する。また、ＭＣＳ検出部２０７は、検出されたＭＣＳに対応する送信パラメータ（変調方式や符号化率）の情報を復調部２０８や復号部２１０に出力する。具体的には、ＭＣＳ検出部２０７は、図３に示す対応テーブルを備えており、ＭＣＳ番号に対応する変調方式や符号化率をそれぞれ復調部２０８及び復号部２１０に出力する。
セレクタ２０５では、使用された拡散コードに対応する逆拡散信号を選択して復調部２０８に出力する。復調部２０８では、ＭＣＳ検出部２０７から出力された変調方式で逆拡散信号を復調する。また、復号部２１０では、ＭＣＳ検出部２０７から出力された符号化率で、復調後の信号を復号する。このようにして受信データが得られる。
このように本実施の形態によれば、送信パラメータであるＭＣＳを示すビット数が拡散コードの組み合わせを示すビット数よりも少ない場合に、ＭＣＳを示すビットを符号化して拡散コードの組み合わせを示すビットにするので、伝送誤りに強くなり、受信側でＭＣＳ情報を誤って検出する可能性が少なくなり、正確にＨＳＤＰＡを行うことができる。
（実施の形態３）
本実施の形態では、マルチコード伝送により送信を行うときに、全ての送信対象のＭＣＳ情報を、拡散コードの組み合わせを用いて表して同時に送信する場合について説明する。
図９は、本発明の実施の形態３に係る無線送信装置を備えた無線基地局装置の構成を示すブロック図である。なお、図９において、図１と同じ部分については図１と同じ符号を付してその詳細な説明は省略する。
図９に示す無線基地局装置は、各通信端末毎にＭＣＳ情報を選択するＭＣＳ選択部１０７で決定されたＭＣＳ情報を、拡散コードの使用状況を示すパターンにマッピングするマッピング部を備えている。
図１０は、本発明の実施の形態３に係る無線受信装置を備えた通信端末装置の構成を示すブロック図である。なお、図１０において、図２と同じ部分については図２と同じ符号を付してその詳細な説明は省略する。
図１０に示す通信端末装置は、拡散コードの使用状況を示すパターンから識別用ビットを抽出するビット抽出部１００１と、識別ビットに基づき参照テーブル１００３を用いて多重ユーザ情報を検出する多重ユーザ情報検出部１００２とを備えている。この参照テーブル１００３は、図１１に示すように、多重ユーザに対応する識別ビットが関連づけられている。例えば、図１１において、識別ビット”００”であれば、多重しているユーザはＭＳ１とＭＳ２となり、識別ビット”０１”であれば、多重しているユーザはＭＳ１とＭＳ３となる。
上記構成を有する無線基地局装置と通信端末装置との間でＭＣＳ情報を送信することなく、ＨＳＤＰＡ方式の通信を行う場合について説明する。
各通信端末から下り回線品質情報としてＣＩＲ情報を上り回線で無線基地局に送信し、無線基地局のスケジューラ１０６で各ＣＩＲ情報に基づいて送信の割り当てを行い、その送信割り当てに応じてＭＣＳを選択するまでの動作は実施の形態１と同様である。
ＭＣＳ選択部１０７でそれぞれ決定されたＭＣＳの番号は、ビット抽出部１００１に出力される。例えば、ＭＣＳ番号が図３に示すように８種類であって３ビットで表される場合、その３ビットのＭＣＳ番号がそれぞれビット抽出部１００１に出力される。ここでは、多重ユーザが２である場合について説明する。
ビット抽出部１００１では、それぞれのユーザのＭＣＳ番号のビットをマッピングし、さらにどのユーザが多重されているかの情報を示す識別ビットをマッピングする。例えば、図１２に示すように、ＭＳ１のＭＣＳ番号のビット、ＭＳ２のＭＣＳ番号のビット、識別ビットがマッピングされる。このマッピングされた情報は、拡散コード指定部１１２に出力される。
拡散コード指定部１１２では、ＭＣＳ番号が表されるような拡散コードの組み合わせを指定する。例えば、ＤＳＣＨの送信を拡散コード＃１〜＃２０を用いて行う場合において、拡散コード指定部１１２では、拡散コード＃１〜＃２０のうちから１８コードを指定する。すなわち、拡散コード指定部１１２では、８ビットの拡散コードの組み合わせで拡散コードを指定する。この８ビットの拡散コードの組み合わせ（ＭＳ１のＭＣＳ番号、ＭＳ２のＭＣＳ番号、識別ビット（００））は、拡散コード使用状況を示すパターンである。拡散コード指定部１１２では、その８ビットのビット列に対応する拡散コードの使用状況を示すパターンを参照し、そのパターンにおいて使用である拡散コードを指定する。
このように指定された拡散コードを用いることにより、ＭＣＳ情報を送信しなくても、受信側（通信端末）ではブラインドでＭＣＳを判定することが可能となる。
拡散コード指定部１１２で指定された拡散コードの情報は、拡散部１１３に出力され、拡散コード分（ｍ）設けられた拡散部１１３に出力される。拡散部１１３では、分配部１１１で分配された送信データに対して、それぞれ指定された拡散コードで拡散変調処理を行う。これらの拡散コードで拡散変調処理された送信データは、多重部１１７で１８コード分多重されて下り回線信号としてマルチコード伝送で通信端末（ＭＳ１）に送信される。
下り回線信号を逆拡散処理して逆拡散信号の電力検出を行うまでの動作は実施の形態１と同様である。この拡散コード毎の電力値の情報は、拡散コード検出部２０６に出力される。拡散コード検出部２０６では、電力値の情報から、送信側（無線基地局）で使用した拡散コードを検出する。すなわち、使用している拡散コードの電力値は大きく、使用していない拡散コードの電力値は小さくなる。
このようにして検出された使用拡散コードの情報は、使用拡散コードのパターンとしてビット抽出部１００１に出力される。この場合、使用拡散コードのパターンは、８ビットのビット列としてビット抽出部１００１に出力される。ビット抽出部１００１では、識別ビットを抽出し、その識別ビットを多重ユーザ情報検出部１００２に出力する。
多重ユーザ情報検出部１００２では、識別ビット”００”から参照テーブル１００３を参照して、ＭＳ１とＭＳ２が多重されていると認識する。そして、ＭＳ１が含まれていることにより、自局のＭＣＳ情報が含まれていることを認識する。このとき、多重ユーザ情報検出部１００２は、自局のＭＣＳ情報が含まれている旨の制御信号をビット抽出部１００１に出力する。
ビット抽出部１００１は、自局のＭＣＳ情報が含まれている旨の制御信号を受けると、ＭＳ１のＭＣＳ番号を示すビットを抽出し、そのＭＣＳ番号を示すビットをＭＣＳ検出部２０７に出力する。
ＭＣＳ検出部２０７では、３ビットのビット列に対応するＭＣＳ番号に基づいて送信パラメータを検出する。また、ＭＣＳ検出部２０７は、検出されたＭＣＳに対応する送信パラメータ（変調方式や符号化率）の情報を復調部２０８や復号部２１０に出力する。具体的には、ＭＣＳ検出部２０７は、図３に示す対応テーブルを備えており、ＭＣＳ番号に対応する変調方式や符号化率をそれぞれ復調部２０８及び復号部２１０に出力する。
セレクタ２０５では、使用された拡散コードに対応する逆拡散信号を選択して復調部２０８に出力する。復調部２０８では、ＭＣＳ検出部２０７から出力された変調方式で逆拡散信号を復調する。また、復号部２１０では、ＭＣＳ検出部２０７から出力された符号化率で、復調後の信号を復号する。このようにして受信データが得られる。
このように本実施の形態では、複数の相手局に対してマルチコード伝送により送信を行うときに、全ての送信対象のＭＣＳ情報を、拡散コードの組み合わせを用いて表して同時に送信するので、それぞれのユーザ宛てにＭＣＳ情報を送信する必要がなくなる。したがって、従来のようにＭＣＳ情報について多重ユーザ分の電力で送信する必要がなくなり、下り回線のキャパシティをさらに増加させることができる。
本発明は上記実施の形態１〜３に限定されず種々変更して実施することが可能である。具体的には、マルチコード伝送における使用拡散コード数や組み合わせ数、ユーザ数、送信パラメータ数（ＭＣＳ数）などは、上記実施の形態１〜３に限定されず適宜変更して実施することが可能である。例えば、ユーザ数について言えば、上記実施の形態では、ユーザ数は２と仮に設定されているが、ユーザ数が１の場合でも実施することが可能である。
ユーザ数が１の場合、基地局は送信対象割り当てを行わないが、上記と同様の方法でＭＣＳ情報をユーザに送信することができる。さらに、このように１対１の通信を行う場合、基地局が受信側でユーザ（通信端末）が送信側となるような構成を採れば、通信端末が上記と同様の方法でＭＣＳ情報を選択して基地局に送信することも実施することが可能である。
以上説明したように本発明の無線送信装置及び無線受信装置によれば、送信対象から報告された下り回線品質情報に基づいて決定した送信パラメータを表す拡散コードの組み合わせを指定し、送信パラメータ及び組み合わせの拡散コードを用いて送信対象に対してマルチコード伝送によるデータ送信を行うので、送信パラメータの送信による下り回線のキャパシティの減少や他局への干渉増加を防止することができる。
本明細書は、２００１年６月２７日出願の特願２００１−１９５４７３に基づく。この内容はすべてここに含めておく。
産業上の利用可能性
本発明は、ディジタル無線通信システムにおける移動局装置や基地局装置に適用することができる。
【図面の簡単な説明】
図１は、本発明の実施の形態１に係る無線送信装置を備えた無線基地局装置の構成を示すブロック図、
図２は、本発明の実施の形態１に係る無線受信装置を備えた通信端末装置の構成を示すブロック図、
図３は、ＭＣＳの内容を説明するための図、
図４は、本発明の実施の形態１において使用するＭＣＳと拡散コードとを対応つけたテーブルを示す図、
図５は、本発明の実施の形態１に係る無線受信装置における拡散コード検出を説明するための図、
図６は、本発明の実施の形態１の他の例において、拡散コードの使用状態を説明するための図、
図７は、本発明の実施の形態２に係る無線送信装置を備えた無線基地局装置の構成を示すブロック図、
図８は、本発明の実施の形態２に係る無線受信装置を備えた通信端末装置の構成を示すブロック図、
図９は、本発明の実施の形態３に係る無線送信装置を備えた無線基地局装置の構成を示すブロック図、
図１０は、本発明の実施の形態３に係る無線受信装置を備えた通信端末装置の構成を示すブロック図、
図１１は、本発明の実施の形態３において使用する多重ユーザと識別ビットとを関連づけた参照テーブルを示す図、
図１２は、多重ユーザ情報を説明するための図である。
【図１】
2003003635.tif 000003
【図２】
2003003635.tif 000004
【図３】
2003003635.tif 000005
【図４】
2003003635.tif 000006
【図５】
2003003635.tif 000007
【図６】
2003003635.tif 000008
【図７】
2003003635.tif 000009
【図８】
2003003635.tif 000010
【図９】
2003003635.tif 000011
【図１０】
2003003635.tif 000012
【図１１】
2003003635.tif 000013
【図１２】
2003003635.tif 000014
【国際調査報告】
2003003635.tif 000015
2003003635.tif 000016
2003003635.tif 000017
2003003635.tif 000018